(57)【要約】【課題】異なる形式を有する複数の内筒を交換可能に構成したシリンダー錠において、複数の内筒の機能をそれぞれ損なうことなく構成するとともに小型化や低コスト化を図る。【解決手段】本発明の内筒交換式シリンダー錠システム１００は、内周面に錠止溝を備えた外筒１０と、該外筒内に挿入配置可能な第１の内筒２０及び第２の内筒３０とを有する。第１の内筒内に配置された板タンブラー２２は、第１のキー挿入穴に正規の解錠コードを備えた第１の運用キーＫ１を挿入したときに第１のロッキング部材２７が第１の内筒の外周面に没入することを許容する位置に収容凹縁２２ｃを備え、第２の内筒内に配置されたピンタンブラー３２は、第２のキー挿入穴に正規の解錠コードを備えた第２の運用キーＫ２を挿入したときに第２のロッキング部材３７が第２の内筒の外周面に没入することを許容する位置に凹状溝部３２ｃを備える。【選択図】図３
2011001779.tif 000002
【特許請求の範囲】
【請求項１】
内周面に錠止溝を備えた外筒と、該外筒内に挿入配置可能且つ前記外筒内で軸線周りに回動可能に構成され、軸線方向に伸びる第１のキー挿入穴及び外周面に対し出没可能に構成されるとともに外周側に付勢され突出時に前記錠止溝に係合する第１のロッキング部材を備えた第１の内筒と、前記外筒内に挿入配置可能且つ前記外筒内で軸線周りに回動可能に構成され、軸線方向に伸びる第２のキー挿入穴及び外周面に対し出没可能に構成されるとともに外周側に付勢され突出時に前記錠止溝に係合する第２のロッキング部材を備えた第２の内筒とを有し、前記第１の内筒及び前記第２の内筒を前記外筒内に係脱可能に保持するための係合保持構造を備えた内筒交換式シリンダー錠システムにおいて、
前記第１の内筒は、軸線方向と交差する方向に移動可能に配置されるとともに当該方向の一側に付勢され、前記第１のキー挿入穴内に配置されるキー係合開口縁及び外側縁に設けられた収容凹縁を備えた複数の板タンブラーをさらに有し、
該複数の板タンブラーは、前記第１のキー挿入穴に正規の解錠コードを備えた第１の運用キーを挿入したときに前記第１のロッキング部材が前記第１の内筒の外周面に没入することを許容する位置に前記収容凹縁をそれぞれ備え、
前記第２の内筒は、軸線方向と交差する方向に移動可能に配置されるとともに内周側に付勢され、前記第２のキー挿入穴内に出没可能に配置されるキー係合内端部及び外側面に設けられた凹状溝部を備えた複数のピンタンブラーをさらに有し、
該複数のピンタンブラーは、前記第２のキー挿入穴に正規の解錠コードを備えた第２の運用キーを挿入したときに前記第２のロッキング部材が前記第２の内筒の外周面に没入することを許容する位置に前記凹状溝部をそれぞれ備える、
ことを特徴とする内筒交換式シリンダー錠システム。
【請求項２】
前記係合保持構造は、前記外筒の内周面に対し出没可能に構成されるとともに内周側へ付勢される保持部材と、前記第１の内筒及び前記第２の内筒にそれぞれ設けられ、前記保持部材の内端部に係合する保持溝と、前記第１の内筒内において軸線方向と交差する方向に移動可能に配置されるとともに当該方向の前記保持部材から離反する側に付勢され、第１の交換キーを挿入したときに既定の内筒角度位置で前記保持部材の前記内端部を前記内周面に没入させる交換用タンブラーと、を有し、
前記外筒内に前記第２の内筒が挿入配置された場合に既定の内筒角度位置で前記第２のキー挿入穴内に前記保持部材の前記内端部が配置され、第２の交換キーを挿入したときに少なくとも前記既定の内筒角度位置で前記第２の交換キーが前記保持部材の前記内端部を前記内周面に没入させることを特徴とする請求項１に記載の内筒交換式シリンダー錠システム。
【請求項３】
前記第１の内筒及び前記第２の内筒の後端部には、前記既定の内筒角度で前記保持部材の前記内端部に対応する位置に傾斜縁部が形成されることを特徴とする請求項２に記載の内筒交換式シリンダー錠システム。
【請求項４】
前記軸線方向と直交する平面上における前記ピンタンブラーの軸方向と前記第２のキー挿入穴の開口断面形状の長手方向との交差角が異なる複数種類の前記第２の内筒を具備することを特徴とする請求項１乃至３のいずれか一項に記載の内筒交換式シリンダー錠。
【発明の詳細な説明】
【技術分野】
【０００１】
本発明は内筒交換式シリンダー錠システムに係り、特に、共通の外筒に複数種類の内筒を適用可能に構成したシリンダー錠システムに関する。
【背景技術】
【０００２】
一般に、外筒内に挿入配置された内筒を有するシリンダー錠において、内筒を外筒に対してマスターキーなどで着脱可能に構成し、内筒を交換することのできる内筒交換式の錠構造が知られている。この種の錠構造は、通常、運用キーを紛失した場合やアパートなどで居住者が入れ替わった場合などにおいて、異なる解錠コードを有する同種の内筒に交換することにより、既に使用されていた運用キーを使用不能にするために構成される。
【０００３】
一方、上記の内筒交換式の錠構造としては、上述のように異なる解錠コードを有する同種の内筒に交換するのではなく、コストやセキュリティ性などの種々の要請に応じるために相互に異なる形式の複数の内筒を交換可能に構成したシステムも提案されている（例えば、以下の特許文献１及び２参照）。特許文献１に記載のシリンダー錠は、ディスクタンブラー式シリンダー錠の構成要素となる第１の内筒と、サイドバー式シリンダー錠の構成要素となる第２の内筒とを共通の外筒に適用可能に構成したものである。具体的には、共通の外筒の内周面に設けられた錠止溝が、第１の内筒のディスクタンブラーの係止端部に係合可能であるとともに、第２の内筒のサイドバーの山形錠止部にも係合可能となるように形成したものである。また、特許文献２に記載のシリンダー錠は、共通の外筒の内周面に形成された錠止溝に対し、ディスクタンブラー型シリンダー錠の構成要素となる内筒のディスクタンブラーの端部を係合可能に構成するとともに、ピンタンブラー型シリンダー錠の外筒を上記共通の外筒内において上記錠止溝に外周面上の突出部が係合する態様で収容可能に構成し、上記ディスクタンブラー型の内筒の代わりに、ピンタンブラー式シリンダー錠をその外筒ごと共通の外筒内に収容可能に構成したものである。
【先行技術文献】
【特許文献】
【０００４】
【特許文献１】特開２００６−１３２１０７号公報
【特許文献２】特許第４００３９７２号公報
【発明の概要】
【発明が解決しようとする課題】
【０００５】
しかしながら、上記従来の内筒交換式シリンダー錠においては、以下のような問題点がある。すなわち、上記特許文献１に記載のシリンダー錠では、ディスクタンブラーの係止端部に係合するように構成された共通の外筒の錠止溝に対して係合可能な形状に、サイドバー式シリンダー錠のサイドバーの山形錠止部を形成している。この場合、通常、ディスクタンブラーは内筒にキーが挿入されていないときには半径方向外側にばね付勢された状態となっているが、キーが挿入されたときには当該キーによりディスクタンブラーが直接駆動されて上記外筒の錠止溝に係合する位置に移動するのに対して、サイドバーは内筒へのキーの抜き差しに拘らず常に半径方向外側にばね付勢された状態となっているので、外筒の錠止溝にサイドバーの山形錠止部が嵌合した状態からキーとともに内筒を回転させることができるように、内筒に回転力が加わった際に山形錠止部が外筒の錠止溝からスムーズに脱出できるように構成する必要がある。ところが、外筒の錠止溝とディスクタンブラーの係止端部の係合状態の確実性と、外筒の錠止溝からのサイドバーの山形錠止部の係合状態のスムーズな脱出性とを両立させることは一般的に困難であり、一方の確実性を高めると他方の脱出性が悪化し、他方の脱出性を高めると一方の確実性が悪化するというジレンマがある。
【０００６】
一方、上記特許文献２に記載のシリンダー錠では、ディスクタンブラー型シリンダー錠の内筒を収容可能な共通の外筒の内部にさらにピンタンブラー型シリンダー錠の外筒を収容する構成となっているため、構造の大型化、複雑化、部品点数の増大などを招くという問題点がある。また、ピンタンブラー型シリンダー錠の外筒はディスクタンブラー型シリンダー錠の外筒内に収容するために特殊な構造となることから、製造コストが増大するという問題点もある。
【０００７】
そこで、本発明は上記問題点を解決するものであり、その課題は、異なる形式を有する複数の内筒を交換可能に構成したシリンダー錠において、複数の内筒の機能をそれぞれ損なうことなく構成できるとともに小型化や低コスト化を図ることの可能な構造を提供することにある。
【課題を解決するための手段】
【０００８】
斯かる実情に鑑み、本発明の内筒交換式シリンダー錠システムは、内周面に錠止溝を備えた外筒と、該外筒内に挿入配置可能且つ前記外筒内で軸線周りに回動可能に構成され、軸線方向に伸びる第１のキー挿入穴及び外周面に対し出没可能に構成されるとともに外周側に付勢され突出時に前記錠止溝に係合する第１のロッキング部材を備えた第１の内筒と、前記外筒内に挿入配置可能且つ前記外筒内で軸線周りに回動可能に構成され、軸線方向に伸びる第２のキー挿入穴及び外周面に対し出没可能に構成されるとともに外周側に付勢され突出時に前記錠止溝に係合する第２のロッキング部材を備えた第２の内筒とを有し、前記第１の内筒及び前記第２の内筒を前記外筒内に係脱可能に保持するための係合保持構造を備え、前記第１の内筒は、軸線方向と交差する方向に移動可能に配置されるとともに当該方向の一側に付勢され、前記第１のキー挿入穴内に配置されるキー係合開口縁及び外側縁に設けられた収容凹縁を備えた複数の板タンブラーをさらに有し、該複数の板タンブラーは、前記第１のキー挿入穴に正規の解錠コードを備えた第１の運用キーを挿入したときに前記第１のロッキング部材が前記第１の内筒の外周面に没入することを許容する位置に前記収容凹縁をそれぞれ備え、前記第２の内筒は、軸線方向と交差する方向に移動可能に配置されるとともに内周側に付勢され、前記第２のキー挿入穴内に出没可能に配置されるキー係合内端部及び外側面に設けられた収容凹溝を備えた複数のピンタンブラーをさらに有し、該複数のピンタンブラーは、前記第２のキー挿入穴に正規の解錠コードを備えた第２の運用キーを挿入したときに前記第２のロッキング部材が前記第２の内筒の外周面に没入することを許容する位置に前記収容凹溝をそれぞれ備える、ことを特徴とする。
【０００９】
この発明によれば、共通の上記外筒内に第１の内筒が収容された状態では、第１の運用キーを第１のキー挿入穴に挿入すると、当該第１の運用キーのコード部に板タンブラーのキー係合開口縁が係合することで第１の内筒内における板タンブラーの位置が規制され、これによって板タンブラーの収容凹縁の位置により第１のロッキング部材の第１の内筒への没入が許容されるため、第１の運用キーとともに第１の内筒を回転させることが可能になる。一方、共通の外筒内に第２の内筒が収容された状態では、第２の運用キーを第２のキー挿入穴に挿入すると、当該第２の運用キーのコード部にピンタンブラーのキー係合内端部が係合することで第２の内筒内におけるピンタンブラーの位置が規制され、これによってピンタンブラーの収容凹溝の位置により第２のロッキング部材の第２の内筒への没入が許容されるため、第２の運用キーとともに第２の内筒を回転させることが可能になる。したがって、第１と第２のいずれの内筒を用いた場合でも、各ロッキング部材がそれぞれ没入可能となることで、各内筒が外筒に対して回動可能になるため、錠止溝に対する各内筒の係合構造をそれぞれ支障なく最適化できることから、正規の解錠コードを有する運用キーを挿入したとき以外における外筒と各内筒との間の係合状態の確実性と、正規の解錠コードを有する運用キーを挿入したときの操作の容易性とを支障なく両立させることができる。
【００１０】
本発明の一の態様においては、前記係合保持構造は、前記外筒の内周面に対し出没可能に構成されるとともに内周側へ付勢される保持部材と、前記第１の内筒及び前記第２の内筒にそれぞれ設けられ、前記保持部材の内端部に係合する保持溝と、前記第１の内筒内において軸線方向と交差する方向に移動可能に配置されるとともに当該方向の前記保持部材から離反する側に付勢され、第１の交換キーを挿入したときに既定の内筒角度位置で前記保持部材の前記内端部を前記内周面に没入させる交換用タンブラーと、を有し、前記外筒内に前記第２の内筒が挿入配置された場合に既定の内筒角度位置で前記第２のキー挿入穴内に前記保持部材の前記内端部が配置され、第２の交換キーを挿入したときに少なくとも前記既定の内筒角度位置で前記第２の交換キーが前記保持部材の前記内端部を前記内周面に没入させることが好ましい。
【００１１】
これによれば、外筒内に第１の内筒を挿入配置した状態では、第１の交換キーを挿入したときに交換用タンブラーが移動して既定の内筒角度で保持部材の内端部を外筒の内周面に没入させることができるとともに、外筒内に第２の内筒を挿入配置した状態では、第２の交換キーを挿入したときに既定の内筒角度で当該第２の交換キーが直接に保持部材の内端部を外筒の内周面に没入させることができる。したがって、第２の運用キー及び第２の交換キーのコード部に係合されるべきキー係合内端部と、第２のロッキング部材を内筒の外周面に没入させることを許容する収容凹溝とを有するピンタンブラーの長さを確保しつつ、第２の内筒を半径方向にコンパクトに構成することが可能になる。
【００１２】
この場合において、前記第１の内筒及び前記第２の内筒の後端部には、前記既定の内筒角度で前記保持部材の前記内端部に対応する位置に傾斜縁部が形成されることが好ましい。これによれば、第１の内筒及び第２の内筒を共通の外筒内に挿入し、既定の内筒角度に設定することができれば、傾斜縁部が保持部材の内端部に当接するので、内筒に挿入力を加えると内端部を外筒の内周面に没入させることができる。したがって、係合保持構造に影響を与えることなく、第１の内筒及び第２の内筒を容易に外筒内に装着することができる。
【００１３】
本発明の他の態様においては、前記軸線方向と直交する平面上における前記ピンタンブラーの軸方向と前記第２のキー挿入穴の開口断面形状の長手方向との交差角が異なる複数種類の前記第２の内筒を具備する場合がある。例えば、前記ピンタンブラーの軸方向が前記第２のキー挿入穴の開口断面形状の長手方向と交差（直交）する構造を備えた前記第２の内筒と、前記ピンタンブラーの軸方向が前記第２のキー挿入穴の開口断面形状の長手方向と一致する構造を備えた前記第２の内筒とを別々に具備する場合である。これによれば、複数種類の第２の内筒においては、キー挿入穴の開口断面形状に対するピンタンブラーの位置及び姿勢が相互に異なるため、異なるキー構造に対応する複数種類の内筒を共通の外筒に適用可能とすることができる。したがって、共通の外筒に対して交換可能な内筒のバリエーションをさらに広げることができる。この場合、上記複数種類の第２の内筒においてそれぞれの第２のキー挿入穴の施錠・解錠時の姿勢を相互に一致させるときには、ピンタンブラーの軸方向が異なるために第２のロッキング部材の移動方向も相互に異なることとなるため、第２のロッキング部材が嵌合する外筒の錠止溝の位置も異なるものとなる。このため、外筒の異なる位置に予め上記複数種類の第２の内筒に対応する複数種類の錠止溝を設けておくことで、上記複数種類の第２の内筒にそれぞれ対応しつつ、いずれの内筒を用いた場合でも第２のキー挿入穴の姿勢を共通にすることができる。
【発明の効果】
【００１４】
本発明によれば、板タンブラーを有する第１の内筒と、ピンタンブラーを有する第２の内筒とを、それぞれにおいて出没可能に設けられた第１のロッキング部材と第２のロッキング部材を介して共通の外筒と係合する構造とすることにより、各内筒を共通の外筒に対して共に好適な係合構造を有するものとすることができるため、いずれの内筒を用いた場合でも、回転規制の確実性と回転操作の容易性とを両立させることができるとともに、小型化や低コスト化が容易になるという優れた効果を奏し得る。
【図面の簡単な説明】
【００１５】
【図１】板タンブラーを備えた内筒（第１の内筒）を共通の外筒内に収容した状態を示す軸線方向に沿った縦断面図。
【図２】板タンブラーを備えた内筒（第１の内筒）の平面図及び横断面図。
【図３】板タンブラーを備えた内筒（第１の内筒）を共通の外筒に収容したときの軸線方向と直交する方向に沿った縦断面図。
【図４】板タンブラーを備えた内筒（第１の内筒）を共通の外筒に収容したときの背面形状を示す背面図。
【図５】板タンブラーを備えた内筒（第１の内筒）を共通の外筒に収容したときの係合保持構造の係合保持状態の軸線方向と直交する方向に沿った縦断面図。
【図６】板タンブラーを備えた内筒（第１の内筒）を共通の外筒に収容したときの係合保持構造の係合解除状態の軸線方向と直交する方向に沿った縦断面図。
【図７】板タンブラーを備えた内筒（第１の内筒）の異なる構成例の内筒本体の平面図及び横断面図。
【図８】板タンブラーを備えた内筒（第１の内筒）の異なる構成例を共通の外筒に収容したときの軸線方向と直交する方向に沿った縦断面図。
【図９】ピンタンブラーを備えた内筒（第２の内筒）の一例における内筒本体の底面図。
【図１０】ピンタンブラーを備えた内筒（第２の内筒）の一例を共通の外筒に収容したときの軸線方向と直交する方向に沿った縦断面図。
【図１１】ピンタンブラーを備えた内筒（第２の内筒）の一例を共通の外筒に収容したときの図１０とは異なる位置における軸線方向と直交する方向に沿った縦断面図。
【図１２】ピンタンブラーを備えた内筒（第２の内筒）の一例を共通の外筒に収容したときの係合保持構造の係合保持状態の軸線方向と直交する方向に沿った縦断面図。
【図１３】ピンタンブラーを備えた内筒（第２の内筒）の一例を共通の外筒に収容したときの係合保持構造の係合解除状態の軸線方向と直交する方向に沿った縦断面図。
【図１４】ピンタンブラーを備えた内筒（第２の内筒）の他の例を共通の外筒に収容したときの軸線方向に沿った縦断面図。
【図１５】ピンタンブラーを備えた内筒（第２の内筒）の他の例における内筒本体の平面図。
【図１６】ピンタンブラーを備えた内筒（第２の内筒）の他の例を共通の外筒に収容したときの軸線方向と直交する方向に沿った縦断面図。
【図１７】ピンタンブラーを備えた内筒（第２の内筒）の他の例を共通の外筒に収容したときの異なる位置における軸線方向と直交する方向に沿った縦断面図。
【図１８】ピンタンブラーを備えた内筒（第２の内筒）の他の例を共通の外筒に収容したときの係合保持構造の係合保持状態の軸線方向と直交する方向に沿った縦断面図。
【図１９】ピンタンブラーを備えた内筒（第２の内筒）の他の例を共通の外筒に収容したときの係合保持構造の係合解除状態の軸線方向と直交する方向に沿った縦断面図。
【発明を実施するための形態】
【００１６】
次に、添付図面を参照して本発明の実施形態について詳細に説明する。図１は本発明に係る内筒交換式シリンダー錠システム１００の共通の外筒１０内に第１の内筒である内筒２０を収容した様子を示す縦断面図（図３のＩ−Ｉ線に沿った断面矢視図）、図２は軸線１００ｘより上側に上記内筒２０の平面形状を示し、下側に上記内筒の横断面形状を示す平面図及び横断面図、図３は外筒１０内に内筒２０を収容した様子を示す縦断面図、図４は内筒２０の背面形状を示す背面図、図５及び図６はシリンダー錠の後部に設けられた係合保持構造を示す縦断面図である。なお、図３は前方側（図１の左側）から軸線１００ｘに沿って見た断面形状を示し、図５及び図６は後方側（図１の右側）から軸線１００ｘに沿って見た断面形状を示している。
【００１７】
このシステム１００の軸線１００ｘは外筒１０の外筒本体１１に設けられた円形断面の収容穴１１ａの軸線と一致する。また、軸線１００ｘは内筒２０の内筒本体２１の軸線とも一致する。これによって、収容穴１１ａ内に収容された内筒本体２１は上記軸線１００ｘを中心に回動可能に構成される。なお、この点は後述する他の内筒２０′、３０、４０についても同様である。
【００１８】
図１に示すように、外筒本体１１の後部には、収容穴１１ａの内側と外筒本体１１の外側を半径方向に貫通する段差孔１１ｂを有する。段差孔１１ｂ内には後述する内筒２０の変換位置ＩＣに対応する角度位置に保持部材（保持プレート）１２が半径方向に移動可能に配置され、収容孔１１ａの内周面に対し出没可能に構成される。この保持部材１２は支持板（バックプレート）１４に保持されたスプリング１３によって常時半径方向内側に付勢されている。保持部材１２の内端部１２ａは後述する内筒本体２１の保持溝（環状の凹溝として形成されている。）２１ｄに対して軸線１００ｘ方向に係合し、これにより内筒本体２１を軸線方向に保持するが、回転方向には妨げないように構成される。図５及び図６に示すように、保持部材１２の内端部１２ａは幅方向中央部が幅方向に平坦に構成され、その両側が面取りされた形状を有する。また、厚み方向に見たときには、図１に示すように、軸線方向前側の角部が丸められた形状となっている。さらに、図５及び図６に示すように、段差孔１１ｂの段差面に保持部材１２の幅方向両側の張出縁部１２ｂが半径方向外側から当接することにより、保持部材１２の内端部１２ａの半径方向内側への突出量が後述する保持溝２１ｄの深さ以下となるように制限される。なお、保持部材１２は支持板１４によって半径方向外方向への可動範囲が規制される。
【００１９】
また、図３に示すように、収容孔１１ａの内周面上には、軸線１００ｘと平行に延在する錠止溝１１ｃ１、１１ｃ２、１１ｃ３が形成されている。図示例では錠止溝１１ｃ１、１１ｃ２、１１ｃ３は軸線１００ｘを中心として相互に９０度ずれた位置に形成されている。ただし、本発明では各錠止溝１１ｃ１、１１ｃ２、１１ｃ３の位置関係は特に限定されない。錠止溝１１ｃ１、１１ｃ２、１１ｃ３の形成位置に対応する内筒の角度位置は運用キーの抜き差しを可能にする位置に相当し、当該位置が解錠位置と施錠位置の二か所を規定する。したがって、外筒本体１１に形成される錠止溝は二つのみでもよいが、本実施形態の場合、後述する内筒３０の解錠位置（錠止溝１１ｃ３を用いる。）と施錠位置（錠止溝１１ｃ１を用いる。）を他の内筒２０、４０の解錠位置（錠止溝１１ｃ１を用いる。）と施錠位置（錠止溝１１ｃ２を用いる。）と整合させるために、三つの錠止溝を形成している。
【００２０】
図１に示すように、外筒１０には上記外筒本体１１の後側に配置固定された作動部１５が設けられる。この作動部１５はシリンダー錠に対するキー操作によって作動する構造部分に対応する。ただし、本発明に係る錠システムによって構成されるシリンダー錠は必ずしも作動部１５を含む必要はない。図示例では、この作動部１５には、内筒２０と回転方向に係合し、内筒２０の回転に応じて回動するロックボルト等の連動部材１６が回動可能に軸支されている。なお、外筒本体１１と作動部１５の固定構造及び内筒２０と連動部材１６の係合構造については図示を省略する。作動部１５としては図示のようなドア等の扉体の開閉のための機械的構造を有するものに限らず、電気的接続関係を切り替えたり、電気信号を発生したりする電気スイッチなどで構成することもできる。
【００２１】
内筒２０は内筒本体２１を有し、内筒本体２１には、軸線１００ｘに沿ってほぼ中央部に運用キーＫ１（第１の運用キーに相当する。）若しくは交換キー（或いはマスターキー、第１の交換キーに相当する。）ＫＭ１を挿入するためのキー挿入穴（第１のキー挿入穴に相当する。）２１ａが形成されている。また、キー挿入穴２１ａ（あるいは軸線１００ｘ）と交差（図示例では直交）する方向（図示例では半径方向であるので、以下、単に「半径方向」という。）に設けられた複数のタンブラー収容穴２１ｂがそれぞれキー挿入穴２１ａと連通する構造で軸線１００ｘに沿って配列されている。タンブラー収容穴２１ｂにはそれぞれ板タンブラー２２が上記交差する方向（軸線１００ｘの周りを回転する方向を含む。）に移動可能に収容される。
【００２２】
板タンブラー２２は上記運用キーＫ１若しくは交換キーＫＭ１が挿入される係合開口部２２ａを中央に有し、この係合開口部２２ａの開口内縁の少なくとも一部が上記運用キーＫ１若しくは交換キーＫＭ１のコード部（解錠コードに対応する形状を有する部分）と係合するキー係合開口縁となっている。係合開口部２２ａは図示例では孔状に構成されるが、後述する交換用タンブラー２５の係合開口部２５ａのように一部が開放された切り込み状に構成されていてもよい。板タンブラー２２には側方へ張り出した張出部２２ｂが設けられ、この張出部２２ｂと上記タンブラー収容穴２１ｂの幅方向端部に設けられた段差部との間に配置されたスプリング２３によって、板タンブラー２２が常時半径方向一側（図３の上側）に付勢される。さらに、板タンブラー２２の側部（図示例ではスプリング２３が配置された側とは反対側の側部）には収容凹縁２２ｃが設けられている。
【００２３】
内筒本体２１における複数のタンブラー収容穴２１ｂの開口が配列された部分には閉鎖板２４が取り付けられ、この閉鎖板２４によって板タンブラー２２が内筒本体２１内より外部に脱出しないように保持されている。閉鎖板２４はカシメや溶接等により内筒本体２１に固定される。
【００２４】
内筒本体２１の側部には軸線方向に延長され、上記複数のタンブラー収容穴２１ｂに連通する側孔２１ｃが設けられ、この側孔２１ｃ内にはサイドバー（上記第１のロッキング部材に相当する。）２７が配置される。サイドバー２７は軸線方向に延長された形状を有し、スプリング２８によって半径方向外側に常時付勢された状態となっている。サイドバー２７の外端部２７ａは外筒１０の上記錠止溝１１ｃ１、１１ｃ２に嵌合する形状を有する。当該形状は、後述するようにサイドバー２７が内筒本体２１の外周面に没することができる状態で内筒２０を回転させることによりスムーズに錠止溝１１ｃ１、１１ｃ２内から退避できる形状、図示例では両側に傾斜を有する山形状を備え、錠止溝１１ｃ１、１１ｃ２もまたこの山形状に対応する谷形状を備えている。また、サイドバー２７の内端部２７ｂは板タンブラー２２の上記収容凹縁２２ｃに嵌合（収容）可能な形状を有する。サイドバー２７は側孔２１ｃ内において半径方向に移動可能とされ、内筒本体２１の外周面に対して出没可能に構成されている。
【００２５】
内筒本体２１の後部には図示例では環状凹溝として形成された保持溝２１ｄが設けられ、この保持溝２１ｄには上記保持部材１２の内端部１２ａが係合している。保持溝２１ｄの底部には上記キー挿入穴２１ａに連通する交換用タンブラー収容孔２１ｅが開口している。交換用タンブラー収容孔２１ｅには交換用タンブラー２５が軸線１００ｘと交差する方向に移動可能に収容されている。
【００２６】
交換用タンブラー２５は、図５及び図６に示すように、上記運用キーＫ１若しくは交換キーＫＭ１を挿通させる係合開口部２５ａを備えている。係合開口部２５ａは図示例では図示上方が開放された切り込み状に構成され、交換用タンブラー２５は全体としてＵ字状に形成されている。ただし、交換用タンブラー２５の係合開口部２５ａは上述の係合開口部２２ａのように孔状に構成されていてもよく、また、後述するピンタンブラーのように軸状に構成されていてもよい。図示例では、交換用タンブラー２５は上記切り込み状の係合開口部２５ａを有することにより、上部が幅方向に弾性変形可能に構成される。これによって、交換用タンブラー２５の上部を幅方向に押し縮めて交換用タンブラー収容孔２１ｅ内に収容した後に上部に対する押し縮め力を解除することで、交換用タンブラー収容孔２１ｅの開口縁に形成された張出部２１ｇによって交換用タンブラー２５が半径方向外側（図示上方）へ脱出することが防止される。
【００２７】
係合開口部２５ａの一部内縁（図示下側の内縁）には交換用タンブラー２５の交換用タンブラー収容孔２１ｅ内における位置を規制するための係合内縁部２５ｂが設けられる。また、交換用タンブラー２５の下端には保持部材１２の内端部１２ａに当接する当接部２５ｄが設けられる。この当接部２５ｄは図示例では内筒本体２１の外周面よりも曲率半径が小さい凸曲面状に構成されている。さらに、交換用タンブラー２５の側部に設けられた段差と交換用タンブラー収容孔２１ｅの幅方向の側部に設けられた段差との間にはスプリング２６が配置され、このスプリング２６によって交換用タンブラー２５は常時半径方向（図示例では斜め上方、すなわち、保持部材１２より離れる側）へ付勢されている。図１及び図５に示す交換用タンブラー２５は、キーが挿入されていないときには当該スプリング２６の弾性力によって上部が張出部２１ｇに係合した位置（以下、単に「初期位置」という。）に保持されている。
【００２８】
図１及び図４に示すように、保持溝２１ｄよりも後方にある後端部の一部角度位置の外縁には、半径方向外側（図示例では斜め下側）に進むと軸線方向前方へ向かう態様で傾斜した傾斜縁部２１ｆが形成されている。この傾斜縁部２１ｆは内筒本体２１の半径方向外縁の既定の角度範囲（図示例では後述する変換位置ＩＣに対応する下側位置を中心とした角度範囲）に限定して形成されている。図示例では、傾斜縁部２１ｆは内筒本体２１の外周円の直線状の弦を境界としてその外周側に形成された傾斜した平面で構成される。変換位置ＩＣにおける傾斜縁部２１ｆの半径方向の形成範囲は、保持部材１２の内端部１２ａ全体を確実に押し出す（外筒本体１１の内周面に没入させる）ために、内端部１２ａの先端位置と同じ位置まで、或いは、それよりも半径方向内側まで存在することが好ましい。
【００２９】
本実施形態においては、内筒２０に対応する運用キーＫ１と交換キーＫＭ１を備える。運用キーＫ１と交換キーＫＭ１はいずれも内筒２０の複数の板タンブラー２２に対応する解錠コードに合致したコード部を備える。また、図示例では、運用キーＫ１と交換キーＫＭ１は同じ長さを有するが、図１に一点鎖線と二点鎖線で示すように、当該コード部より先端側にある先端部Ｋ１ｓ，ＫＭ１ｓの形状が相互に異なるものとなっている。運用キーＫ１の先端部Ｋ１ｓ（図５参照）は上記初期位置にある交換用タンブラー２５に影響を与えず、すなわち、係合内縁部２５ｂに当接して交換用タンブラー２５を移動させるといったことがないように構成され、交換用タンブラー２５が初期位置にとどまるように形成されている。一方、交換キーＫＭ１の先端部ＫＭ１ｓ（図６参照）は交換用タンブラー２５に対応する保持部材１２を規制しうる形状とされている。すなわち、交換キーＫＭ１の先端部ＫＭ１ｓは、内筒２０が交換位置ＩＣに設定されたときに、係合内縁部２５ｂに当接して、上記初期位置にある交換用タンブラー２５を後述するように移動させ、これによって外筒１０に装着されている内筒２０を取り外すことができるように形成されている。なお、運用キーＫ１と交換キーＫＭ１の関係は、後述する運用キーＫ３と交換キーＫＭ３の関係と同様に、両キーの軸線方向の長さを異なるものとし、交換キーＫＭ１の先端部ＫＭ１ｓのみが交換用タンブラー２５に対する係合位置に達するように構成することも可能である。
【００３０】
内筒２０に上記運用キーＫ１若しくは交換キーＫＭ１を挿入すると、内筒本体２１内の複数の板タンブラー２２は正規の解錠コードに一致するコード部によって整列され、それらの収容凹縁２２ｃが上記側孔２１ｃの内部開口に対向配置される。このようになると、サイドバー２７の内端部２７ｂは側孔２１ｃからタンブラー収容穴２１ｂ内に移動可能になり、これによりサイドバー２７の外端部２７ａは内筒２０の外周面に没することができるようになる。なお、シリンダー錠の前提となる事項であるために詳述しないが、本実施形態では、内筒２０（後述する他の内筒３０、４０も同様。）に運用キー若しくは変換キーを挿入しない場合、或いは、正規の解錠コードに一致しないコードを有するコード部を備えたキーを挿入した場合には、少なくとも一つの板タンブラー２２（後述する場合にはピンタンブラー）の収容凹縁２２（後述する場合には収容凹溝）が側孔２１ｃの内部開口と対向しないので、サイドバー２７が内筒の外周面に没することができなくなり、その結果、内筒は回動できない状態のままとなる。
【００３１】
図３に示すように、内筒２０が外筒１０に収容された状態では、内筒２０に運用キーＫ１若しくは交換キーＫＭ１が挿入されると、上記のようにサイドバー２７が出没可能な状態とされるので、内筒２０は外筒１０内で回動可能となる。このとき、板タンブラー２２の移動方向が図示上下方向に一致したときを解錠位置ＵＬとし、図示左右方向と一致したときを施錠位置ＬＫとすると、解錠位置ＵＬにおいてはサイドバー２７の外端部２７ａは錠止溝１１ｃ１に嵌合し、施錠位置ＬＫにおいてはサイドバー２７の外端部２７ａは錠止溝１１ｃ２に嵌合する。このようにサイドバー２７が錠止溝１１ｃ１、１１ｃ２と嵌合した角度位置では、サイドバー２７の内端部２７ｂがタンブラー収容穴２１ｂ内に突出しないので、板タンブラー２２はフリー状態となり、運用キーＫ１若しくは交換キーＫＭ１を内筒２０に対して抜き差しすることができる。
【００３２】
図１及び図５に示すように、内筒２０の保持溝２１ｄには保持部材１２の内端部１２ａが嵌合しているので、内筒２０は外筒１０に対して軸線方向に固定されている。このとき、交換キーＫＭ１が挿入されて内筒２０が変換位置ＩＣまで回転されると、交換キーＫＭ１の先端部ＫＭ１ｓが係合内縁部２５ｂと係合し、変換用タンブラー２５を移動させて、その当接部２５ｄにより保持部材１２を半径方向外周側へ押し出すので、図６に示すように、保持部材１２の内端部１２ａは保持溝２１ｄから脱出し、これによって内筒２０を交換キーＫＭ１とともに外筒１０から軸線方向前方へ引き出すことが可能になる。すなわち、交換キーＫＭ１を内筒２０に挿入し、解錠位置ＵＬ又は施錠位置ＬＫから内筒２０を変換位置ＩＣまで回転させることにより、内筒２０を外筒１０より取り外すことができる。なお、本実施形態では、上記変換位置ＩＣは解錠位置ＵＬと施錠位置ＬＫの間（中間位置）に配置されるが、特に限定されない。
【００３３】
上記のように内筒２０が外筒１０から取り外された状態でも、運用キーＫ１若しくは交換キーＫＭ１が挿入された内筒２０はサイドバー２７が出没可能な状態となっているため、そのまま外筒１０の収容穴１１ａ内に再度挿入することができる。ただし、この際には外筒本体１１の内周面上には上記保持部材１２の内端部１２ａが突出しているので、内筒本体２１を正規の軸線方向の位置まで完全に挿入する前にその後端部が当該内端部１２ａに当接する。このとき、内筒２０が変換位置ＩＣ以外の位置にあれば後端部が内端部１２ａに停止されてそれ以上軸線方向奥側へ押し込むことができないが、内筒２０を変換位置ＩＣに位置決めすれば、後端部の傾斜縁部２１ｆが保持部材１２の内端部１２ａに当接するので、内筒２０を押し込むことで保持部材１２の内端部１２ａが傾斜縁部２１ｆの傾斜面に沿って外筒１０の内周面内に押し込まれるため、内筒２０を正規の装着位置まで軸線方向に挿入することができる。この正規の挿入状態では、内筒２０に運用キーＫ１が挿入されているならば、上記保持部材１２がスプリング１３により押し出されて内端部１２ａが保持溝２１ｄに嵌合する。また、内筒２０に交換キーＫＭ１が挿入されているならば、内筒２０が回転して交換位置ＩＣからずれたときに、或いは、交換キーＫＭ１が抜き取られて交換用タンブラー２５が初期位置に戻ったときに、保持部材１２の内端部１２ａが保持溝２１ｄに嵌合する。いずれにしても、内端部１２ａが保持溝２１ｄに嵌合することにより内筒２０は外筒１０に対して軸線方向に固定された状態になる。
【００３４】
本実施形態において、内筒２０は、正規の運用キーＫ１若しくは交換キーＫＭ１が挿入された状態でなければ外筒１０内に装着できないように構成されている。これは、正規のキーがない状態で内筒２０を外筒１０に装着してしまうことで、そのシリンダー錠が使用不能になるとともに、挿入した内筒２０を取り外すこともできなくなるといったことを防止するためである。このような事態を防止することは、より具体的には以下の構成によって達成される。すなわち、キーが挿入されていない内筒２０ではサイドバー２７の外端部２７ａが内筒本体２１の外周面より突出し、退避ができない状態となっているため、内筒２０は上記外端部２７ａが錠止溝１１ｃ１、１１ｃ２、１１ｃ３の形成されている位置（解錠位置ＵＬ若しくは施錠位置ＬＫ）でなければ外筒１０の収容孔１１ａ内に挿入できず、また、このように外筒１０内に挿入できたとしても、上述のように保持部材１２の内端部１２ａが収容孔１１ａ内に突出しているために、内筒２０が外筒１０内で変換位置ＩＣまで回動させることができなければ完全に装着する（正規の深さまで挿入する）ことができない構成となっている。なお、以上の点は後述する他の内筒３０や４０についても同様である。また、本実施形態では、錠止溝１１ｃ１、１１ｃ２、１１ｃ３は外筒１０の軸線方向前面側に開放された溝構造を有し、内筒２０を外筒１０に挿入する際にサイドバー２７の外端部２７ａが錠止溝１１ｃ１、１１ｃ２、１１ｃ３に挿入されやすく構成しているが、キーを挿入した状態で内筒２０を外筒１０内に挿入するのであればサイドバー２７は内筒２０に対して出没自在に構成された状態となっているので、錠止溝１１ｃ１、１１ｃ２、１１ｃ３が外筒１０の軸線方向前面側に開放されていない構造であっても内筒２０を装着することは可能である。
【００３５】
図７は上記内筒２０とほぼ同様の形式を有する第１の内筒の他の構成例である内筒２０′の平面図及び横断面図、図８は内筒２０′を外筒１０内に収容したときの様子を示す縦断面図である。この内筒２０′では、内筒本体２１′の外周面に、複数のタンブラー収容穴２１ｂの開口範囲に亘って外周凹部２１ｈが形成され、この外周凹部２１ｈに円弧状の断面形状を有する閉鎖板２４′（図７には二点鎖線で示す。）が嵌合することで、複数のタンブラー収容穴２１ｂの開口が閉鎖され、板タンブラー２２の開口からの脱出が防止されている。ここで、内筒２０′は閉鎖板２４′が嵌合した状態で外筒１０の収容孔１１ａ内に収容可能とされ、しかも回動可能となっている。
【００３６】
上記外周凹部２１ｈは、軸線１００ｘの周りの１８０度以上の（好ましくは１８０度より大きい）角度範囲に亘って形成され、閉鎖板２４′もまた軸線１００ｘの周りの１８０度以上の（好ましくは１８０度より大きい）角度範囲に亘って装着されている。これによって、閉鎖板２４′の内筒本体２１′に対する装着状態が安定し、閉鎖板２４′を単に弾性的に内筒本体２１′に嵌合させるだけで、タンブラー収容穴２１ｂの開口を閉鎖し、板タンブラー２２を閉じ込めることができる。したがって、上記閉鎖板２４のように内筒本体２１に固定するための処理が不要となり、組み立てが容易になるとともに分解や修理が容易になる。
【００３７】
次に、図９乃至図１３を参照して、本発明の第２の内筒に相当する内筒３０の構造について説明する。図９は内筒３０を構成する内筒本体３１の底面図、図１０及び図１１は内筒３０を外筒１０内に収容したときのそれぞれ軸線方向の異なる位置における縦断面図、図１２及び図１３は交換キーＫＭ２による保持部材１２の動作状態を示す断面図である。なお、図１０及び図１１は前方側（図９の左側）から軸線１００ｘに沿って見た断面形状を示し、図１２及び図１３は後方側（図９の右側）から軸線１００ｘに沿って見た断面形状を示している。
【００３８】
本実施形態の内筒３０は上記の内筒２０、２０′と同様に上記の外筒１０に収容可能である。内筒３０は、軸線１００ｘに沿ったキー挿入穴（第２のキー挿入穴に相当する。）３１ａを有し、このキー挿入穴３１ａと交差し且つ連通する複数のタンブラー収容穴３１ｂ、３１ｂ′と、各タンブラー収容穴３１ｂ、３１ｂ′と連通する側孔３１ｃとを有している。このキー挿入穴３１ａは内筒３０の外周面の一部角度位置において側方へ開放された切り込み状に構成されている。複数のタンブラー収容穴３１ｂ、３１ｂ′には、ピンタンブラー３２、３２′及びこのピンタンブラー３２、３２′を半径方向内側（キー挿入穴３１ａ側）に付勢するスプリング３３、３３′がそれぞれ収容されている。ピンタンブラー３２、３２′には、上記キー挿入穴３１ａ内に突出する内端部（キー係合内端部に相当する。）３２ａ、３２ａ′と、スプリング３３、３３′により付勢力を受ける外端部３２ｂ、３２ｂ′と、内端部３２ａ、３２ａ′と外端部３２ｂ、３２ｂ′との間の側部に設けられた収容凹溝３２ｃ、３２ｃ′とが形成されている。なお、図示例では収容凹溝３２ｃ、３２ｃ′はピンタンブラー３２、３２′の外周面に環状に構成される環状凹溝として構成されるが、後述するサイドバー３７の動作を可能にするものであれば、片側の側面に形成された凹所などであってもよく、特に限定されない。
【００３９】
本実施形態では、軸線方向１００ｘに沿って一列に配列された複数のタンブラー収容穴３１ｂと、軸線方向１００ｘに沿って一列に配列されるとともに上記タンブラー収容穴３１ｂと交互に配列される複数のタンブラー収容穴３１ｂ′とを備えている。このようにして、それぞれ軸線方向に直線状に配列されたタンブラー収容穴３１ｂと３１ｂ′をジグザグ状に配置することで、定まった軸線方向の長さ範囲内により多数のタンブラー収容穴を形成し、最終的に鍵違い数を増大させることができる。
【００４０】
内筒本体３１の外周面上にあるタンブラー収容穴３１ｂ、３１ｂ′の開口は閉鎖板３４によって閉鎖される。この閉鎖板３４は、上記スプリング３３、３３′を保持する（そして間接的にピンタンブラー３２、３２′を保持する）機能を有している。閉鎖板３４は上記閉鎖板２４と同様に内筒本体３１に固定される。図９に示すように、内筒本体３１の上記複数の開口が設けられる範囲に凹部３１ｈが形成され、この凹部３１ｈに閉鎖板３４が嵌合固定される。より詳しくは、凹部３１ｈの底面は平坦に構成される一方で、閉鎖板３４は単独では図１０において内筒本体３１と分離して示すように内側に湾曲した（円弧状の）断面を有するが、閉鎖板３４を凹部３１ｈに合わせて押し込むことによって閉鎖板３４が略平坦な形状に変形した状態で凹部３１ｈに嵌合固定されるようになっている。このようにすると、閉鎖板３４をカシメ等により固定する作業が不要となる。なお、この内筒３０及び閉鎖板３４を、内筒２０′及び閉鎖板２４′と同様に構成することも可能である。
【００４１】
側孔３１ｃ内にはサイドバー（第２のロッキング部材に相当する。）３７が半径方向内外に移動可能に収容され、スプリング３８により半径方向外側へ付勢されている。このサイドバー３７は、上記錠止溝１１ｃ３、１１ｃ１に嵌合可能な外端部３７ａと、上記ピンタンブラー３２、３２′の収容凹溝３２ｃ、３２ｃ′に収容可能な内端部３７ｂ、３７ｂ′とを備えている。この場合、内端部３７ｂ、３７ｂ′は、側孔３１ｃのタンブラー収容穴３１ｂ、３１ｂ′に対する内部開口がピンタンブラー３２、３２′の外周面（収容凹溝３２ｃ、３２ｃ′以外の面）により閉鎖されると、サイドバー３７の内側への移動が規制され、外端部３７ａが内筒本体３１の外周面上に突出した状態に保持されるように構成される。また、タンブラー収容穴３１ｂはタンブラー収容穴３１ｂ′に比べてサイドバー３７に対して離れた位置に形成されているので、サイドバー３７の内端部３７ｂも内端部３７ｂ′に比べて長く形成されている。
【００４２】
なお、この内筒３０においては、解錠位置ＵＬでピンタンブラー３２、３２′の内端部３２ａ、３２ａ′が錠止溝１１ｃ３に嵌合し、施錠位置ＬＫで錠止溝１１ｃ１に嵌合する点で上記の内筒２０や後述する内筒４０とは異なる。これは、解錠位置ＵＬと施錠位置ＬＫにおけるキー挿入穴３１ａの向きを内筒２０、４０に整合させるためであり、当該向きの整合性が不要であれば、他の内筒２０、４０と同様に錠止溝１１ｃ１と１１ｃ２を共通に用いることも可能である。
【００４３】
本実施形態においても、内筒３０に適合した正規の解錠コードを備えたコード部を有する運用キーＫ２及び交換キーＫＭ２を用いる。運用キーＫ２若しくは交換キーＫＭ２を内筒３０に挿入すると、ピンタンブラー３２、３２′が上記コード部に従ってタンブラー収容穴３１ｂ、３１ｂ′内で半径方向に移動し、収容凹溝３２ｃ、３２ｃ′が側孔３１ｃの内部開口と対向する位置に配置されるので、サイドバー３７が内筒３０に対して出没可能になり、内筒３０が外筒１０内で回動可能となるため、解錠位置ＵＬと施錠位置ＬＫとの間を回転させることで施錠、解錠が可能になる。
【００４４】
また、図１２に示すように、交換キーＫＭ２を内筒３０に挿入したときには、交換キーＫＭ２の先端部ＫＭ２ｓは、内筒３０の保持溝３１ｄに係合している保持部材１２と対応する軸線方向の位置に配置される。そして、当該先端部ＫＭ２ｓは保持部材１２の内端部１２ａと抵触する範囲まで半径方向外側に張り出しているため、変換位置ＩＣに内筒３０を合わせることで、図１３に示すように、上記先端部ＫＭ２ｓが内端部１２ａに直接当接して保持部材１２を半径方向外側へ押し出す。これによって、内筒３０は交換キーＫＭ２とともに外筒１０から取り出すことが可能になる。また、内筒本体３１の保持溝３１ｄよりも後方の後端部の一部外縁には上記と同様の傾斜縁部３１ｆが形成されているので、運用キーＫ２若しくは交換キーＫＭ２を挿入した内筒３０を変換位置ＩＣで軸線方向奥側へ押し込むことで、上記と同様に保持部材１２の内端部１２ａを保持溝３１ｄに係合させることができる。
【００４５】
本実施形態の内筒３０では、交換キーＫＭ２が直接に保持部材１２の内端部１２ａに当接して退避動作をさせるように構成されているので、内筒２０のような変換用タンブラー２５を設ける必要はない。運用キーＫ２及び交換キーＫＭ２ではキーの側面にピンタンブラー３２、３２′の内端部３２ａ、３２ａ′の当接するコード部が形成され、内筒３０ではキー挿入穴３１ａの開口断面形状の長手方向とサイドバー３７の移動方向とがほぼ一致するため、キー挿入穴３１ａの開口断面位置を内筒３０の中心より半径方向外側へずらして形成し、半径方向外側の一部角度位置が開放されている切り込み状の開口断面形状としている。したがって、交換キーＫＭ２の先端部ＫＭ２ｓにより半径方向外側の保持部材１２の内端部１２ａを半径方向外側に直接押し出すことができる。本実施形態では、内筒３０の内部構造に起因して生ずるキー挿入穴３１ａの特性を生かすことにより、係合保持構造を簡易な構成で係脱動作させることができる。すなわち、交換キーＫＭ２を直接に保持部材１２に当接作用させることで、第１の内筒２０の交換用タンブラー収容穴２１ｅや交換用タンブラー２５に相当する構成を設ける必要がなくなるので、内筒３０の構造を簡易なものとし、製造コストを低減できる。
【００４６】
なお、図示しないが、運用キーＫ２を内筒３０に挿入したときには、運用キーＫ２の先端部は、図１２に示す交換キーＫＭ２とは異なり、内筒３０が変換位置ＩＣに配置されても保持部材１２の内端部１２ａを保持溝３１ｄから排除しない形状に構成されているので、内筒３０は外筒１０に対して軸線方向に係合したままであり、内筒３０を取り出すことはできない。なお、運用キーＫ２と交換キーＫＭ２の関係は、上記運用キーＫ１と上記交換キーＫＭ１の関係と同様に、両キーの軸線方向の長さを同一とし、単に先端部の形状のみが異なるように構成することもできるが、後述する運用キーＫ３と交換キーＫＭ３の関係と同様に、両キーの軸線方向の長さを異なるものとし、交換キーの先端部ＫＭ２ｓのみが保持部材１２の内端部１２ａに当接可能な位置に達するように構成することも可能である。
【００４７】
この内筒３０においては、キー挿入穴３１ａの開口断面形状の長手方向とピンタンブラー３２、３２′の軸方向とが交差する（図示例では直交する）とともに、キー挿入穴３１ａの開口断面形状の長手方向とサイドバー３７の移動方向とがほぼ平行となっている。そして、キー挿入穴３１ａの断面形状長手方向の範囲、ピンタンブラー３２、３２′の軸方向範囲、及び、サイドバー３７の移動範囲は、それぞれ軸線１００ｘを中心に異なる角度方位に存在している。このようにキー挿入穴３１ａの開口断面の位置を偏心した位置に設けることにより内筒３０の外径を小さく構成することができ、これによって、内筒３０を、板タンブラーを備えた内筒２０、２０′と共通の外筒１０内に収容可能にしている。
【００４８】
次に、図１４乃至図１９を参照して、別の第２の内筒に相当する内筒４０について説明する。図１４は内筒４０とこれを収容した外筒１０からなるシリンダー錠の縦断面図、図１５は内筒４０の内筒本体４１の平面図、図１６及び図１７はそれぞれ軸線方向の異なる位置における縦断面図、図１８及び図１９は保持部材１２の収容位置における縦断面図である。ここで、図１６及び図１７は軸線方向前方より見た断面形状を示し、図１８及び図１９は軸線方向後方より見た断面形状を示している。
【００４９】
この内筒４０もまた外筒１０内に収容可能である。内筒４０は、上記内筒３０と同様にキー挿入穴（第２のキー挿入穴に相当する。）４１ａと、これに交差し連通するタンブラー収容穴４１ｂ、４１ｂ′及び側孔４１ｃとを備えた内筒本体４１を有し、複数のタンブラー収容穴４１ｂ、４１ｂ′にはそれぞれピンタンブラー４２、４２′が半径方向に移動可能に収容され、スプリング４３、４３′によって半径方向内側に付勢されている。キー挿入穴４１ａは内筒３０と同様に内筒本体４１の外周面の一部に開放された切り欠き状に構成される。
【００５０】
本実施形態でも、内筒４０の内筒本体４１には、それぞれ軸線方向に一列に伸び、互いにジグザグに配列された複数のタンブラー収容穴４１ｂと４１ｂ′とが形成され、これらにはそれぞれピンタンブラー４２と４２′及びスプリング４３，４３′が収容されている。内筒３０と同様に、各ピンタンブラー４２、４２′にはそれぞれ内端部４２ａ、４２ａ′、外端部４２ｂ、４２ｂ′及び収容凹溝４２ｃ、４２ｃ′が設けられている。ピンタンブラー４２、４２′及びスプリング４３、４３′は閉鎖板４４によって保持される。ここで、内筒本体４１の凹部４１ｈに閉鎖板４４が嵌合固定される構成は内筒３０と同様であるが、内筒２０と同様に構成し固定してもよい。また、側孔４１ｃは複数のタンブラー収容穴４１ｂ、４１ｂ′に共に開口し、この側孔４１ｃ内にはサイドバー（第２のロッキング部材に相当する。）４７が半径方向に移動可能に収容され、スプリング４８によって半径方向外側へ付勢されている点も内筒３０と同様である。サイドバー４７は、上記と同様に、外端部４７ａ、内端部４７ｂ、４７ｂ′を備えている。
【００５１】
本実施形態では、運用キーＫ３及び交換キーＫＭ３を用いる点で先の各実施形態と同様である。これらの運用キーＫ３及び交換キーＫＭ３のコード部は二列のキー山が平行に延在してなり、内筒４０のキー挿入穴４１ａもこれに対応する形状を備えている。運用キーＫ３若しくは交換キーＫＭ３をキー挿入穴４１ａに挿入すると、それぞれのキー山に上記複数のピンタンブラー４２と４２′の内端部４２ａ、４２ａ′が当接するようになっている。正規の解錠コードを備えたコード部を有する運用キーＫ３及び交換キーＫＭ３を内筒４０に挿入すると、複数のピンタンブラー４２、４２′の収容凹溝４２ｃ、４２ｃ′はいずれも側孔４１ｃの内部開口と対向配置され、これによって外端部４７ａが錠止溝１１ｃ１、１１ｃ２に嵌合した状態のサイドバー４７が半径方向内側へ移動可能になり、内筒４０が外筒１０に対して回動可能になる点も内筒３０と同様である。
【００５２】
この内筒４０においても、図１４に示すように、内筒４０の後部に設けられた保持溝４１ｄに保持部材１２の内端部１２ａが係合することで外筒１０に対して軸線方向に固定される。内筒本体４１における保持溝４１ｄの後方にある後端部の一部角度位置の外縁には傾斜縁部４１ｆが形成されている。この傾斜縁部４１ｆの構造及び作用も先の実施形態と同様である。
【００５３】
本実施形態においては、図１４に示すように、交換キーＫＭ３が運用キーＫ３よりも軸線方向に長く形成され、これによって、交換キーＫＭ３を内筒４０に挿入したときに、図１８及び図１９に示すように、内筒４０を変換位置ＩＣに回転させることで、交換キーＫＭ３の先端部ＫＭ３ｓにより保持部材１２の内端部１２ａを保持溝４１ｄ内から押し出すことができる。すなわち、内筒４０においても、交換キーＫＭ３が直接に保持部材１２に当接作用することにより、内端部１２ａの保持溝４１ｄに対する係合保持状態を解除できる。なお、運用キーＫ３と交換キーＫＭ３の関係は、軸線方向の長さが異なることで交換キーＫＭ３の先端部ＫＭ３ｓが内端部１２ａに抵触し、運用キーＫ３の先端部Ｋ３ｓが内端部１２ａに達しないように構成されているが、上記運用キーＫ１と上記交換キーＫＭ１の関係と同様に、両キーの軸線方向の長さを同一とし、単に先端部の形状のみが異なるように構成することもできる。
【００５４】
本実施形態では、内筒本体４１において、キー挿入穴４１ａの開口断面形状の長手方向とピンタンブラー４２、４２′の軸方向とが一致し、これらの方向とサイドバー４７の移動方向とは交差（図示例では直交）している。そして、キー挿入穴４１ａとピンタンブラー４２、４２′とが軸線１００ｘの両側に配置されているので、キー挿入穴４１ａの開口断面は本質的に軸線１００ｘより片側へ偏心した位置に形成される。このため、上述のように、キー挿入穴４１ａを内筒本体４１の外周面の一部角度位置に開放された切り込み状の開口断面を有するように構成し、交換キーＫＭ３の先端部ＫＭ３ｓが直接保持部材１２に当接作用する構成とすることが、構造の簡易化や小型化、製造コストの低減という観点より好適であり、且つ、容易である。
【００５５】
本実施形態では、内筒３０と同様に、ピンタンブラーとサイドバーの組み合わせによりセキュリティ性を向上させることができるだけでなく、運用キーＫ３及び交換キーＫＭ３のコード部の断面がＹ字状若しくはＵ字状とされているため、キー厚みを大きくし、強度を高めることができる。また、特殊なキー断面形状であるため、通常の鍵複製機械では加工できないことから、セキュリティ性をさらに高めることができる。
【００５６】
上記のように、本実施形態では第２の内筒として上記内筒３０と４０の二種類が設けられているが、一般的には、軸線方向と直交する平面上においてピンタンブラーの軸方向と第２のキー挿入穴の開口断面形状の長手方向との交差角（０度を含む。）が相互に異なる複数種類の第２の内筒を設けることが可能である。この場合には、上記の錠止溝１１ｃ１、１１ｃ２、１１ｃ３のように複数種類の第２の内筒に対応した錠止溝を設けることにより、複数種類の第２の内筒の第２のキー挿入穴の姿勢をほぼ同じとすることができる。すなわち、内筒が解錠位置ＵＬ、施錠位置ＬＫ、変換位置ＩＣにあるときのキー挿入穴の開口断面形状の長手方向の位置角度を共通化できる。
【００５７】
以上説明したように、本実施形態では、共通の外筒１０に対して異なる形式の第１の内筒２０、２０′と、第２の内筒３０、４０とを適宜に交換して用いることができるため、用途や要望に応じて内筒を選択できるとともに、用途や要望の変更により内筒を交換して変更することが可能になる。特に、いずれの内筒においても、キーにより動作するタンブラーによってサイドバー２７、３７、４７等のロッキング部材が外筒１０の錠止溝１１ｃ１、１１ｃ２、１１ｃ３からの退避を許容するか否かが決定されるので、本来的にセキュリティ性の高い構造とすることができるとともに、外筒１０に対する内筒の回転規制の確実性と回転操作の容易性とを両立させることができる。さらに、外筒１０に対する内筒のロッキング構造が共通化されているため、外筒１０に対する構造による制約を受けずに複数の内筒間においてタンブラー構造を大幅に異なるものとすることができ、これにより用途や要望に合わせて内筒に多くのバリエーションを持たせることができる。
【００５８】
尚、本発明の内筒交換式シリンダー錠システムは、上述の図示例にのみ限定されるものではなく、本発明の要旨を逸脱しない範囲内において種々変更を加え得ることは勿論である。例えば、上記各内筒のそれぞれの特徴点を、支障のない限り、相互に変更し、或いは、適宜に組み合わせてもよい。
【符号の説明】
【００５９】
１００…内筒交換式シリンダー錠システム、１００ｘ…軸線、１０…外筒、１１…外筒本体、１１ａ…収容孔、１１ｂ…段差孔、１１ｃ１、１１ｃ２、１１ｃ３…錠止溝、１２…保持部材、１２ａ…内端部、１３…スプリング、１４…支持板（バックプレート）、１５…作動部、１６…連動部材、２０、３０、４０…内筒、２１、３１、４１…内筒本体、２１ａ、３１ａ、４１ａ…キー挿入穴、２１ｂ、３１ｂ、３１ｂ′、４１ｂ、４１ｂ′…タンブラー収容穴、２１ｃ、３１ｃ、４１ｃ…側孔、２１ｄ、３１ｄ、４１ｄ…保持溝、２１ｆ、３１ｆ、４１ｆ…傾斜縁部、２２…板タンブラー、２２ａ…係合開口部、２２ｃ…収容凹縁、２３…スプリング、２４、３４、４４…閉鎖板、２５…交換用タンブラー、２６…スプリング、２７、３７、４７…サイドバー、２８、３８、４８…スプリング、３２、３２′、４２、４２′…ピンタンブラー、３２ｃ、３２ｃ′、４２ｃ、４２ｃ′…収容凹溝
【図１】
2011001779.tif 000003
【図２】
2011001779.tif 000004
【図３】
2011001779.tif 000005
【図４】
2011001779.tif 000006
【図５】
2011001779.tif 000007
【図６】
2011001779.tif 000008
【図７】
2011001779.tif 000009
【図８】
2011001779.tif 000010
【図９】
2011001779.tif 000011
【図１０】
2011001779.tif 000012
【図１１】
2011001779.tif 000013
【図１２】
2011001779.tif 000014
【図１３】
2011001779.tif 000015
【図１４】
2011001779.tif 000016
【図１５】
2011001779.tif 000017
【図１６】
2011001779.tif 000018
【図１７】
2011001779.tif 000019
【図１８】
2011001779.tif 000020
【図１９】
2011001779.tif 000021